(57)【要約】【課題】毎日、過不足なく、当日の所望の時刻（制御開始時刻、制御終了一定時間前時刻）における熱源機の運転台数を決定する。【解決手段】当日が平日であれば、直近の平日の制御開始一定時間経過後負荷（制御開始時刻から一定時間経過後の要求負荷量）の実績値を読み出し、この実績値に基づいて当日の制御開始時刻における熱源機の運転台数を決定する。また、直近の平日の制御終了一定時間前負荷（制御終了時刻から一定時間前の要求負荷量）の実績値を読み出し、この実績値に基づいて当日の制御終了一定時間前時刻における熱源機の運転台数を決定する。当日が休日、当日が特別日の場合も同様にして、当日の制御開始時刻および制御終了一定時間前時刻における熱源機の運転台数を決定する。【選択図】  図２
2005156035.tif 000002
【特許請求の範囲】
【請求項１】
熱源水を生成する第１〜第Ｎ（Ｎ≧２）の熱源機と、この第１〜第Ｎの熱源機が生成する熱源水を搬送する第１〜第Ｎのポンプと、前記第１〜第Ｎの熱源機からの熱源水を混合する往ヘッダと、この往ヘッダを介する熱源水の供給を受ける外部負荷と、この外部負荷において熱交換された熱源水が戻される還ヘッダとを備えた熱源システムに用いられ、前記外部負荷が要求する要求負荷量に基づいて前記熱源機の運転台数を制御する運転台数制御装置において、
少なくとも過去の各日の所定時刻における前記要求負荷量の実績値を所定時刻負荷として記憶する記憶手段と、
当日の日の種別に応じて直近の同一種別の日の前記所定時刻負荷を読み出し、この読み出した所定時刻負荷に基づいて当日の所望の時刻における前記熱源機の運転台数を決定する運転台数決定手段と
を備えたことを特徴とする運転台数制御装置。
【請求項２】
熱源水を生成する第１〜第Ｎ（Ｎ≧２）の熱源機と、この第１〜第Ｎの熱源機が生成する熱源水を搬送する第１〜第Ｎのポンプと、前記第１〜第Ｎの熱源機からの熱源水を混合する往ヘッダと、この往ヘッダを介する熱源水の供給を受ける外部負荷と、この外部負荷において熱交換された熱源水が戻される還ヘッダとを備えた熱源システムに用いられ、前記外部負荷が要求する要求負荷量に基づいて前記熱源機の運転台数を制御する運転台数制御装置において、
少なくとも過去の各日の制御開始時刻から一定時間経過後の前記要求負荷量の実績値を制御開始一定時間経過後負荷として記憶する記憶手段と、
当日の日の種別に応じて直近の同一種別の日の前記制御開始一定時間経過後負荷を読み出し、この読み出した制御開始一定時間経過後負荷に基づいて当日の制御開始時刻における前記熱源機の運転台数を決定する運転台数決定手段と
を備えたことを特徴とする運転台数制御装置。
【請求項３】
熱源水を生成する第１〜第Ｎ（Ｎ≧２）の熱源機と、この第１〜第Ｎの熱源機が生成する熱源水を搬送する第１〜第Ｎのポンプと、前記第１〜第Ｎの熱源機からの熱源水を混合する往ヘッダと、この往ヘッダを介する熱源水の供給を受ける外部負荷と、この外部負荷において熱交換された熱源水が戻される還ヘッダとを備えた熱源システムに用いられ、前記外部負荷が要求する要求負荷量に基づいて前記熱源機の運転台数を制御する運転台数制御装置において、
少なくとも過去の各日の制御終了時刻から一定時間前の前記要求負荷量の実績値を制御終了一定時間前負荷として記憶する記憶手段と、
当日の日の種別に応じて直近の同一種別の日の前記制御終了一定時間前負荷を読み出し、この読み出した制御終了一定時間前負荷に基づいて当日の制御終了時刻から一定時間前における前記熱源機の運転台数を決定する運転台数決定手段と
を備えたことを特徴とする運転台数制御装置。
【請求項４】
熱源水を生成する第１〜第Ｎ（Ｎ≧２）の熱源機と、この第１〜第Ｎの熱源機が生成する熱源水を搬送する第１〜第Ｎのポンプと、前記第１〜第Ｎの熱源機からの熱源水を混合する往ヘッダと、この往ヘッダを介する熱源水の供給を受ける外部負荷と、この外部負荷において熱交換された熱源水が戻される還ヘッダとを備えた熱源システムに用いられ、前記外部負荷が要求する要求負荷量に基づいて前記熱源機の運転台数を制御する運転台数制御装置において、
少なくとも、過去の各日の制御開始時刻から一定時間経過後の前記要求負荷量の実績値および過去の各日の制御終了時刻から一定時間前の前記要求負荷量の実績値をそれぞれ制御開始一定時間経過後負荷および制御終了一定時間前負荷として記憶する記憶手段と、
当日の日の種別に応じて直近の同一種別の日の前記制御開始一定時間経過後負荷を読み出し、この読み出した制御開始一定時間経過後負荷に基づいて当日の制御開始時刻における前記熱源機の運転台数を決定し、当日の日の種別に応じて直近の同一種別の日の前記制御終了一定時間前負荷を読み出し、この読み出した制御終了一定時間前負荷に基づいて当日の制御終了時刻から一定時間前における前記熱源機の運転台数を決定する運転台数決定手段と
を備えたことを特徴とする運転台数制御装置。
【請求項５】
熱源水を生成する第１〜第Ｎ（Ｎ≧２）の熱源機と、この第１〜第Ｎの熱源機が生成する熱源水を搬送する第１〜第Ｎのポンプと、前記第１〜第Ｎの熱源機からの熱源水を混合する往ヘッダと、この往ヘッダを介する熱源水の供給を受ける外部負荷と、この外部負荷において熱交換された熱源水が戻される還ヘッダとを備えた熱源システムに適用され、前記外部負荷が要求する要求負荷量に基づいて前記熱源機の運転台数を制御する運転台数制御方法において、
少なくとも過去の各日の所定時刻における前記要求負荷量の実績値を所定時刻負荷として記憶する工程と、
当日の日の種別に応じて直近の同一種別の日の前記所定時刻負荷を読み出し、この読み出した所定時刻負荷に基づいて当日の所望の時刻における前記熱源機の運転台数を決定する工程と
を備えたことを特徴とする運転台数制御方法。
【請求項６】
熱源水を生成する第１〜第Ｎ（Ｎ≧２）の熱源機と、この第１〜第Ｎの熱源機が生成する熱源水を搬送する第１〜第Ｎのポンプと、前記第１〜第Ｎの熱源機からの熱源水を混合する往ヘッダと、この往ヘッダを介する熱源水の供給を受ける外部負荷と、この外部負荷において熱交換された熱源水が戻される還ヘッダとを備えた適用され、前記外部負荷が要求する要求負荷量に基づいて前記熱源機の運転台数を制御する運転台数制御方法において、
少なくとも過去の各日の制御開始時刻から一定時間経過後の前記要求負荷量の実績値を制御開始一定時間経過後負荷として記憶する工程と、
当日の日の種別に応じて直近の同一種別の日の前記制御開始一定時間経過後負荷を読み出し、この読み出した制御開始一定時間経過後負荷に基づいて当日の制御開始時刻における前記熱源機の運転台数を決定する工程と
を備えたことを特徴とする運転台数制御方法。
【請求項７】
熱源水を生成する第１〜第Ｎ（Ｎ≧２）の熱源機と、この第１〜第Ｎの熱源機が生成する熱源水を搬送する第１〜第Ｎのポンプと、前記第１〜第Ｎの熱源機からの熱源水を混合する往ヘッダと、この往ヘッダを介する熱源水の供給を受ける外部負荷と、この外部負荷において熱交換された熱源水が戻される還ヘッダとを備えた適用され、前記外部負荷が要求する要求負荷量に基づいて前記熱源機の運転台数を制御する運転台数制御方法において、
少なくとも過去の各日の制御終了時刻から一定時間前の前記要求負荷量の実績値を制御終了一定時間前負荷として記憶する工程と、
当日の日の種別に応じて直近の同一種別の日の前記制御終了一定時間前負荷を読み出し、この読み出した制御終了一定時間前負荷に基づいて当日の制御終了時刻から一定時間前における前記熱源機の運転台数を決定する工程と
を備えたことを特徴とする運転台数制御方法。
【請求項８】
熱源水を生成する第１〜第Ｎ（Ｎ≧２）の熱源機と、この第１〜第Ｎの熱源機が生成する熱源水を搬送する第１〜第Ｎのポンプと、前記第１〜第Ｎの熱源機からの熱源水を混合する往ヘッダと、この往ヘッダを介する熱源水の供給を受ける外部負荷と、この外部負荷において熱交換された熱源水が戻される還ヘッダとを備えた適用され、前記外部負荷が要求する要求負荷量に基づいて前記熱源機の運転台数を制御する運転台数制御方法において、
少なくとも、過去の各日の制御開始時刻から一定時間経過後の前記要求負荷量の実績値および過去の各日の制御終了時刻から一定時間前の前記要求負荷量の実績値をそれぞれ制御開始一定時間経過後負荷および制御終了一定時間前負荷として記憶する工程と、
当日の日の種別に応じて直近の同一種別の日の前記制御開始一定時間経過後負荷を読み出し、この読み出した制御開始一定時間経過後負荷に基づいて当日の制御開始時刻における前記熱源機の運転台数を決定し、当日の日の種別に応じて直近の同一種別の日の前記制御終了一定時間前負荷を読み出し、この読み出した制御終了一定時間前負荷に基づいて当日の制御終了時刻から一定時間前における前記熱源機の運転台数を決定する工程と
を備えたことを特徴とする運転台数制御方法。
【発明の詳細な説明】
【技術分野】
【０００１】
この発明は、外部負荷が要求する負荷熱量や負荷流量などの要求負荷量に基づいて熱源機の運転台数を制御する運転台数制御装置および方法に関するものである。
【背景技術】
【０００２】
従来より、テナントビルなどにおいては、複数の熱源機とこれら熱源機のそれぞれに補機として設けられたポンプとを主要構成要素とする熱源システムを設け、ポンプより圧送した熱源水を熱源機により冷却あるいは加熱し、往ヘッダにおいて混合し、往水管路を介して空調機やファンコイルなどの外部負荷に供給するようにしている。外部負荷において熱交換された熱源水は、還水管路を介して還ヘッダに戻され、再びポンプによって圧送され、以上の経路を循環する。例えば、熱源機を冷凍機とした場合、熱源水は冷水とされ、上述した経路を循環する。熱源機を加熱機とした場合、熱源水は温水とされ、上述した経路を循環する（例えば、特許文献１参照）。
【０００３】
この熱源システムには熱源機の運転台数を制御する運転台数制御装置が設けられる。運転台数制御装置は、往ヘッダから外部負荷への熱源水の温度（往水温度）ＴＳ，還ヘッダに戻される熱源水の温度（還水温度）ＴＲおよび還ヘッダに戻される熱源水の流量（負荷流量）Ｆとから、Ｆ×（ＴＲ−ＴＳ）＝Ｑとして現在の負荷熱量Ｑを求め、この求めた現在の負荷熱量Ｑ又は負荷流量Ｆ（Ｑ，Ｆ：要求負荷量）に応じて熱源機の運転台数を制御する。
【０００４】
例えば、予め定められている運転順序テーブルに従い、負荷流量Ｆが所定値Ｆ１に達するまでは指定順位１番の熱源機を運転し、負荷流量Ｆが所定値Ｆ１を越えれば、指定順位１番の熱源機に加えて指定順位２番の熱源機の運転を開始する。なお、熱源機の運転が開始されれば、その熱源機の補機であるポンプの運転も開始される。
【０００５】
この熱源機の運転台数の制御において、当日の始動時の熱源機の運転台数は、制御開始運転スケジュールとカレンダとに基づいて固定的に定められる。例えば、カレンダで当日が平日であるのか、休日であるのかを判断し、当日が平日であれば、全ての平日に対して季節毎に一律に定められた制御開始運転スケジュールに従って、当日の始動時の運転台数を決定する。同様にして、当日が休日であれば、全ての休日に対して季節毎に一律に定められた制御開始運転スケジュールに従って当日の始動時の運転台数を決定する。
【０００６】
なお、制御開始運転スケジュールは、その制御開始運転スケジュールが適用される種別の日（平日、休日など）の始動時の時刻（制御開始時刻）とその時刻における熱源機の運転台数を規定する。また、制御開始運転スケジュールにおいて、その制御開始運転スケジュールを適用する種別の日の始動時の熱源機の運転台数は、その種別の日に対して季節毎に固定的に定められた１日の予想される熱負荷に基づいて、始動時に快適な環境となるように定められる（例えば、特許文献２、特許文献３参照）。
【０００７】
【特許文献１】特開２００２−９８３５８号公報
【特許文献２】特開平８−８６４９０号公報
【特許文献３】特開２００２−２２２３９号公報
【発明の開示】
【発明が解決しようとする課題】
【０００８】
上述したように、従来の熱源機の運転台数制御装置では、平日、休日などの日の種別毎に、また季節毎に、当日の始動時の熱源機の運転台数が定められる。しかしながら、この始動時の熱源機の運転台数は、例えば当日が平日である場合、同一季節では全ての平日で同じとなる。このため、季節の変わり目など、始動時の熱源機の運転台数が多すぎ、始動時に余分なエネルギーを使用して暖め過ぎたり、冷やし過ぎたりするなどの問題が生じていた。また、逆に、始動時の熱源機の運転台数が少なすぎ、始動時に目的の温度まで達せず、居住者に不快感を与えてしまうという問題が生じていた。このことは、始動時だけではなく、例えば残業時など当日の所望の時刻における熱源機の運転台数を定めるような場合でも同じことが言える。
【０００９】
本発明は、このような課題を解決するためになされたもので、その目的とするところは、毎日、過不足なく、当日の所望の時刻における熱源機の運転台数を決定することができる運転台数制御装置および方法を提供することにある。
【課題を解決するための手段】
【００１０】
このような目的を達成するために本発明は、少なくとも過去の各日の所定時刻における要求負荷量の実績値を所定時刻負荷として記憶し、当日の日の種別に応じて直近の同一種別の日の所定時刻負荷を読み出し、この読み出した所定時刻負荷に基づいて当日の所望の時刻における熱源機の運転台数を決定するようにしたものである。
例えば、過去の各日の制御開始時刻から一定時間経過後（制御開始一定時間経過後時刻）の要求負荷量の実績値を制御開始一定時間経過後負荷として記憶し、当日の日の種別に応じて直近の同一種別の日の制御開始一定時間経過後負荷を読み出し、この読み出した制御開始一定時間経過後負荷に基づいて当日の制御開始時刻における熱源機の運転台数を決定する。
また、過去の各日の制御終了時刻から一定時間前（制御終了一定時間前時刻）の要求負荷量の実績値を制御終了一定時間前負荷として記憶し、当日の日の種別に応じて直近の同一種別の日の制御終了一定時間前負荷を読み出し、この読み出した制御終了一定時間前負荷に基づいて当日の制御終了一定時間前時刻における熱源機の運転台数を決定する。
本発明では、当日の所望の時刻（制御開始時刻、制御終了一定時間前時刻）における熱源機の運転台数が直近の当日と同一種別の日の所定時刻負荷（制御開始一定時間経過後負荷、制御終了一定時間前負荷）に基づいて決定されるものとなる。すなわち、当日が平日であり、前日も平日であれば、前日の所定時刻負荷に基づいて当日の所望の時刻における熱源機の運転台数が決定される。また、当日が日曜日であれば、前日（土曜日（休日））の所定時刻負荷に基づいて当日の所望の時刻における熱源機の運転台数が決定される。また、当日が例えば創立記念日（特別日）であれば、昨年の創立記念日の所定時刻負荷に基づいて当日の所望の時刻における熱源機の運転台数が決定される。
【発明の効果】
【００１１】
本発明によれば、当日の所望の時刻における熱源機の運転台数を直近の当日と同一種別の日の所定時刻負荷に基づいて決定するようにしたので、毎日、過不足なく、当日の所望の時刻における熱源機の運転台数を決定することができるようになり、省エネルギーの実現と快適な環境を提供することができるようになる。
【発明を実施するための最良の形態】
【００１２】
以下、本発明を図面に基づいて詳細に説明する。図１はこの発明に係る運転台数制御装置を含む熱源システムの一実施の形態を示す計装図である。同図において、１−１〜１−Ｎは熱源水を生成する熱源機、２−１〜２−Ｎは熱源機１−１〜１−Ｎが生成する熱源水を搬送するポンプ、３−１〜３−Ｎはポンプ２−１〜２−Ｎに付設されたインバータ、４は熱源機１−１〜１−Ｎからの熱源水を混合する往ヘッダ、５は往水管路、６は往ヘッダ４から往水管路５を介して送られてくる熱源水の供給を受ける外部負荷（地域冷暖房の需要家、または空調機・ファンコイル等の熱負荷）、７は還水管路である。外部負荷６には供給される熱源水の流量を調整するためのバルブ６−１が設けられている。
【００１３】
８は外部負荷６において熱交換され還水管路７を介して送られてくる熱源水が戻される還ヘッダ、９は往ヘッダ４と還ヘッダ８とを連通させるバイパス管路、１０はバイパス管路９に設けられたバイパス弁、１１は往ヘッダ４と還ヘッダ８との間の熱源水の差圧（ヘッダ間差圧）ΔＰを計測する差圧計、１２は往ヘッダ４から外部負荷６への熱源水の温度を往水温度ＴＳとして計測する往水温度センサ、１３は還ヘッダ８に戻される熱源水の温度を還水温度ＴＲとして計測する還水温度センサ、１４は還ヘッダ８に戻される熱源水の流量（外部負荷６に供給される熱源水の流量）を負荷流量Ｆとして計測する流量計、１５は制御装置である。
【００１４】
この熱源システムにおいて、ポンプ２−１〜２−Ｎにより圧送された熱源水は、熱源機１−１〜１−Ｎにより冷却あるいは加熱され、往ヘッダ４において混合され、往水管路５を介して外部負荷６へ供給される。そして、外部負荷６において熱交換され、還水管路７を介して還ヘッダ８に戻され、再びポンプ２−１〜２−Ｎによって圧送され、以上の経路を循環する。例えば、熱源機１−１〜１−Ｎを冷凍機とした場合、熱源水は冷水とされ、上述した経路を循環する。熱源機１−１〜１−Ｎを加熱機とした場合、熱源水は温水とされ、上述した経路を循環する。
【００１５】
〔ポンプ回転数による圧力一定制御〕
制御装置１５は、差圧計１１によって計測されるヘッダ間差圧ΔＰを監視し、このヘッダ間差圧ΔＰを一定とするようにポンプ２−１〜２−Ｎの回転数を制御する。すなわち、差圧計１１によって計測されるヘッダ間差圧ΔＰｐｖと予め設定されている設定差圧ΔＰｓｐとを比較し、ΔＰｐｖ＝ΔＰｓｐとなるように、インバータ３−１〜３−Ｎへインバータ出力（０〜１００％）を送って、ポンプ２−１〜２−Ｎの回転数を制御する。これをポンプ回転数による圧力一定制御と呼ぶ。なお、このポンプ回転数による圧力一定制御では、制御装置１５よりバイパス弁１０へ０％のバイパス弁開度出力を送って、バイパス弁１０を全閉状態とする。
【００１６】
〔熱源機運転台数制御〕
制御装置１５は、往水温度センサ１２からの往水温度ＴＳ，還水温度センサ１２からの還水温度ＴＲおよび流量計１４からの負荷流量Ｆとから、Ｆ×（ＴＲ−ＴＳ）＝Ｑとして現在の負荷熱量Ｑを求め、この求めた現在の負荷熱量Ｑ又は流量計１４からの負荷流量Ｆ（Ｑ，Ｆ：要求負荷量）に応じて熱源機１−１〜１−Ｎの運転台数を制御する。例えば、予め定められている運転順序テーブルに従い、負荷流量Ｆが所定値Ｆ１に達するまでは指定順位１番の熱源機１−１を運転し、負荷流量Ｆが所定値Ｆ１を越えれば、熱源機１−１に加えて指定順位２番の熱源機１−２の運転を開始する。なお、熱源機１−２の運転が開始されれば、この熱源機１−２の補機であるポンプ２−２の運転も開始される。この実施の形態では、負荷流量Ｆに基づいて熱源機の運転台数の制御を行うものとする。
【００１７】
〔バイパス弁開度による圧力一定制御〕
例えば、熱源機１−１と熱源機１−２との２台運転中、外部負荷６が要求する熱源水の流量が少なくなると、ヘッダ間差圧ΔＰｐｖが大きくなるので、ΔＰｐｖ＝ΔＰｓｐとなるように、制御装置１５はポンプ２−２へのインバータ出力を小さくする。ポンプ２−２へのインバータ出力が予め設定されている下限値に達しても、なお外部負荷６が要求する流量の方が少ない場合、制御装置１５は、バイパス弁１０を開き、ヘッダ間差圧ΔＰを一定とするようにバイパス弁１０の開度を制御する。これをバイパス弁開度による圧力一定制御と呼ぶ。
【００１８】
制御装置１５は、上述した「熱源機運転台数制御」の機能の一部として、当日の制御開始時刻および制御終了時刻から一定時間前（制御終了一定時間前時刻）における熱源機の運転台数を決定する運転台数決定機能を備えている。また、制御装置１５は、過去の各日の制御開始時刻から一定時間経過後の負荷流量の実績値Ｆ１と制御終了時刻から一定時間前の負荷流量の実績値Ｆ２（負荷熱量で熱源機の運転台数の制御を行う場合には負荷熱量Ｑ１，Ｑ２）を負荷データとして記憶する機能を備えている。図３に過去の各日の負荷データを記憶したテーブルの一例を示す。１日の制御開始時刻から一定時間経過後の負荷流量Ｆ１および制御終了時刻から一定時間前の負荷流量Ｆ２は季節により変動し、制御装置１５はこの負荷流量の実績値Ｆ１，Ｆ２を負荷データとして毎日記憶する。なお、制御装置１５は、プロセッサや記憶装置からなるハードウェアと、これらのハードウェアと協働して各種機能を実現させるソフトウェアとによって実現される。
【００１９】
〔制御開始時刻および制御終了一定時間前時刻の運転台数の決定〕
図２に制御装置１５が実行する制御開始時刻および制御終了一定時間前時刻の運転台数の決定処理のフローチャートを示す。制御装置１５は、この処理を当日の制御開始時刻に達する前に毎日実行し、当日の制御開始時刻における熱源機の運転台数と、当日の制御終了一定時間前時刻における熱源機の運転台数を決定する。
【００２０】
以下、このフローチャートに従って、制御装置１５が実行する制御開始時刻および制御終了一定時間前時刻の運転台数の決定処理について説明する。制御装置１５は、当日の制御開始時刻に達する前に、当日が平日であるか否かを確認する（ステップ２０１）。当日が平日であるか否かの確認は、予め記憶されているカレンダ（図４参照）に従って行い、当日が平日であればステップ２０２へ進み、平日でなければステップ２０６へ進む。なお、図４は「２００３年７月」のカレンダであり、このカレンダにおいて無印は平日、○は休日、△は特別日（例えば、創立記念日）を示す。制御装置１５はこのようなカレンダを所要年数分記憶している。
【００２１】
〔当日が平日の場合〕
制御装置１５は、当日が平日であることを確認すると（ステップ２０１のＹＥＳ）、記憶されている過去の各日の負荷データから直近の平日の負荷データを探し出し、この負荷データにおける制御開始時刻から一定時間経過後の負荷流量の実績値Ｆ１を制御開始一定時間経過後負荷として読み出す（ステップ２０２）。例えば、当日が２００３年７月２９日（火）であれば、直近の平日の負荷データとして２００３年７月２８日（月）の負荷データを探し出し、この負荷データから制御開始一定時間経過後負荷を読み出す
【００２２】
図５に探し出された直近の平日の負荷曲線上の負荷データの一例を示す。制御装置１５は、この負荷曲線における制御開始時刻ｔｓ（この例では、ｔｓ＝８：００）から一定時間ＴＡ（この例では、ＴＡ＝２時間）経過後の負荷流量の実績値Ｆ１、すなわち制御開始一定時間経過後時刻ｔｓA （この例では、ｔｓA ＝１０：００）における負荷流量の実績値ＡＧＪを制御開始一定時間経過後負荷として読み出す。
【００２３】
次に、制御装置１５は、この負荷曲線における制御終了時刻ｔｅ（この例では、ｔｅ＝１９：００）から一定時間ＴＢ（この例では、ＴＢ＝２時間）前の負荷流量の実績値Ｆ２、すなわち制御終了一定時間前時刻ｔｅB （この例では、ｔｅB ＝１７：００）における負荷流量の実績値ＢＧＪを制御終了一定時間前負荷として読み出す（ステップ２０３）。
【００２４】
そして、制御装置１５は、ステップ２０２で読み出した制御開始一定時間経過後負荷（ＡＧＪ）に基づいて当日の制御開始時刻ｔｓにおける熱源機の運転台数を決定する（ステップ２０４）。また、ステップ２０３で読み出した制御終了一定時間前負荷（ＢＧＪ）に基づいて当日の制御終了一定時間前時刻ｔｅB における熱源機の運転台数を決定する（ステップ２０５）。なお、この実施の形態では、制御開始一定時間経過後負荷や制御終了一定時間前負荷が負荷流量として得られるので、この負荷流量を熱源機１台当たりの定格流量で除することにより必要な熱源機の運転台数を求める。
【００２５】
〔当日が休日の場合〕
制御装置１５は、当日が休日であることを確認すると（ステップ２０６のＹＥＳ）、記憶されている過去の各日の負荷データから直近の休日の負荷データを探し出し、この負荷データにおける制御開始時刻から一定時間経過後の負荷流量の実績値Ｆ１を制御開始一定時間経過後負荷として読み出す（ステップ２０７）。例えば、当日が２００３年７月２７日（日）であれば、直近の休日の負荷データとして２００３年７月２６日（土）の負荷データを探し出し、この負荷データから制御開始一定時間経過後負荷を読み出す
【００２６】
図６に探し出された直近の休日の負荷曲線上の負荷データの一例を示す。制御装置１５は、この負荷曲線における制御開始時刻ｔｓ（この例では、ｔｓ＝１０：００）から一定時間ＴＡ（この例では、ＴＡ＝２時間）経過後の負荷流量の実績値Ｆ１、すなわち制御開始一定時間経過後時刻ｔｓA （この例では、ｔｓA ＝１２：００）における負荷流量の実績値ＡＧＪを制御開始一定時間経過後負荷として読み出す。
【００２７】
次に、制御装置１５は、この負荷曲線における制御終了時刻ｔｅ（この例では、ｔｅ＝１５：００）から一定時間ＴＢ（この例では、ＴＢ＝２時間）前の負荷流量の実績値Ｆ２、すなわち制御終了一定時間前時刻ｔｅB （この例では、ｔｅB ＝１３：００）における負荷流量の実績値ＢＧＪを制御終了一定時間前負荷として読み出す（ステップ２０８）。
【００２８】
そして、制御装置１５は、ステップ２０７で読み出した制御開始一定時間経過後負荷（ＡＧＪ）に基づいて当日の制御開始時刻ｔｓにおける熱源機の運転台数を決定する（ステップ２０４）。また、ステップ２０８で読み出した制御終了一定時間前負荷（ＢＧＪ）に基づいて当日の制御終了一定時間前時刻ｔｅB における熱源機の運転台数を決定する（ステップ２０５）。
【００２９】
〔当日が特別日の場合〕
制御装置１５は、当日が特別日であることを確認すると（ステップ２０６のＮＯ）、記憶されている過去の特別日の負荷データから直近の特別日の負荷データを探し出し、この負荷データにおける制御開始時刻から一定時間経過後の負荷流量の実績値Ｆ１を制御開始一定時間経過後負荷として読み出す（ステップ２０９）。例えば、当日が２００３年７月１日で創立記念日であれば、直近の創立記念日の負荷データとして２００２年７月１日の負荷データを探し出し、この負荷データから制御開始一定時間経過後負荷を読み出す
【００３０】
図７に探し出された直近の特別日の負荷曲線上の負荷データの一例を示す。制御装置１５は、この負荷曲線における制御開始時刻ｔｓ（この例では、ｔｓ＝８：００）から一定時間ＴＡ（この例では、ＴＡ＝２時間）経過後の負荷流量の実績値Ｆ１、すなわち制御開始一定時間経過後時刻ｔｓA （この例では、ｔｓA ＝１０：００）における負荷流量の実績値ＡＧＪを制御開始一定時間経過後負荷として読み出す。
【００３１】
次に、制御装置１５は、この負荷曲線における制御終了時刻ｔｅ（この例では、ｔｅ＝１７：００）から一定時間ＴＢ（この例では、ＴＢ＝２時間）前の負荷流量の実績値Ｆ２、すなわち制御終了一定時間前時刻ｔｅB （この例では、ｔｅB ＝１５：００）における負荷流量の実績値ＢＧＪを制御終了一定時間前負荷として読み出す（ステップ２１０）。
【００３２】
そして、制御装置１５は、ステップ２０９で読み出した制御開始一定時間経過後負荷（ＡＧＪ）に基づいて当日の制御開始時刻ｔｓにおける熱源機の運転台数を決定する（ステップ２０４）。また、ステップ２１０で読み出した制御終了一定時間前負荷（ＢＧＪ）に基づいて当日の制御終了一定時間前時刻ｔｅB における熱源機の運転台数を決定する（ステップ２０５）。
【００３３】
以上の説明から分かるように、本実施の形態によれば、当日の制御開始時刻における熱源機の運転台数が直近の当日と同一種別の日の制御開始一定時間経過後負荷（ＡＧＪ）に基づいて決定されるので、制御開始時（始動時）の熱源機の運転台数が多すぎたり、少なすぎたりすることがない。また、当日の制御終了一定時間前時刻における熱源機の運転台数が直近の当日と同一種別の日の制御終了一定時間前負荷（ＢＧＪ）に基づいて決定されるので、制御終了前（例えば、残業時）の熱源機の運転台数が多すぎたり、少なすぎたりすることがない。このように、本実施の形態によれば、毎日、過不足なく当日の制御開始時刻および制御終了一定時間前時刻における熱源機の運転台数を決定することができ、省エネルギーの実現と快適な環境を提供することができるようになる。
【００３４】
なお、上述した実施の形態では、当日が平日の場合として２００３年７月２９日（火）を例にとったが、当日が２００３年７月２８日（月）であれば、直近の平日は２００３年７月２５日（金）となる。また、当日が休日の場合として２００３年７月２７日（日）を例にとったが、当日が２００３年７月２６日（土）であれば、直近の休日は２００３年７月２１日（海の日）となる。
【００３５】
また、上述した実施の形態では、過去の各日の制御開始一定時間経過後負荷の実績値および過去の各日の制御終了一定時間前負荷の実績値を記憶するようにしたが、過去の各日の負荷曲線を記憶するようにしてもよい。
また、上述した実施の形態では、当日の制御開始時刻における熱源機の運転台数と当日の制御終了一定時間前時刻における熱源機の運転台数を決定するようにしたが、当日の制御開始時刻における熱源機の運転台数のみを決定するようにしてもよい。逆に、当日の制御終了一定時間前時刻における熱源機の運転台数のみを決定するようしてもよい。
また、当日の制御開始時刻における熱源機の運転台数や当日の制御終了一定時間前時刻における熱源機の運転台数に限らず、同様の方法によって当日の所望の時刻における熱源機の運転台数を決定することが可能である。
【００３６】
また、上述した実施の形態では、同一の種別の日として「平日」、「休日」、「特別日」を例にとって説明したが、月曜日，火曜日などの「曜日」を同一種別の日としてもよい。本発明において、同一種別の日とは、負荷データが類似する日のことを意味する。
【００３７】
また、上述した実施の形態では、ポンプ２−１〜２−Ｎにインバータ３−１〜３−Ｎを付設したシステムとしたが、このようなシステムに限られるものではない。すなわち、ポンプ２−１〜２−Ｎにインバータ３−１〜３−Ｎを付設しないシステムへの適用も可能である。
【図面の簡単な説明】
【００３８】
【図１】本発明に係る運転台数制御装置を含む熱源システムの一実施の形態を示す計装図である。
【図２】この熱源システムにおける制御装置が実行する制御開始時刻および制御終了一定時間前時刻の運転台数の決定処理を示すフローチャートである。
【図３】過去の各日の負荷データ（Ｆ１，Ｆ２）を記憶したテーブルの一例を示す図である。
【図４】制御装置が記憶しているカレンダを例示する図である。
【図５】平日の負荷曲線の負荷データ（Ｆ１，Ｆ２）の一例を示す図である。
【図６】休日の負荷曲線の負荷データ（Ｆ１，Ｆ２）の一例を示す図である。
【図７】特別日の負荷曲線の負荷データ（Ｆ１，Ｆ２）の一例を示す図である。
【符号の説明】
【００３９】
１（１−１〜１−Ｎ）…熱源機、２（２−１〜２−Ｎ）…ポンプ、３（３−１〜３−Ｎ）…インバータ、４…往ヘッダ、５…往水管路、６…外部負荷、７…還水管路、８…還ヘッダ、９…バイパス管路、１０…バイパス弁、１１…差圧計、１２…往水温度センサ、１３…還水温度センサ、１４…流量計、１５…制御装置。
【図１】
2005156035.tif 000003
【図２】
2005156035.tif 000004
【図３】
2005156035.tif 000005
【図４】
2005156035.tif 000006
【図５】
2005156035.tif 000007
【図６】
2005156035.tif 000008
【図７】
2005156035.tif 000009